(57)【要約】      （修正有）【課題】複合式コモンモードコイルを提供する。【解決手段】底台１１、コイル積載体１２、鉄芯体１３を含む。該底台は２個の設置槽１１１及び隔離槽１１３を備え、該隔離槽は該２個の設置槽間に位置する。該コイル積載体は２個のコイルラック１２３を含み、該コイルラックの外縁は複数のコイル１２３４が巻き付き、しかも該２個のコイルラックは該設置槽中に一つ一つ対応設置される。該鉄芯体は相互に対応する２個の側面１３１を備え、該鉄芯体は該隔離槽中に位置し、しかも該側面により該コイルラックに隣接する。該各コイルラック中の複数のコイルにそれぞれ電流が流れると、該コイル積載体は漏電インダクタンスを形成し、該側面の表面積を調整することで、該漏電インダクタンスの大きさを改変可能である。【選択図】図１
0003140813.tif 000002
【実用新案登録請求の範囲】
【請求項１】
複合式コモンモードコイルは底台、コイル積載体、鉄芯体を含み、
該底台は２個の設置槽及び隔離槽を備え、該隔離槽は該２個の設置槽間に位置し、
該コイル積載体は２個のコイルラックを含み、該コイルラックの外縁は複数のコイルが巻き付き、しかも該２個のコイルラックは該設置槽中に一つ一つ対応設置され、
該鉄芯体は相互に対応する２個の側面を備え、該鉄芯体は該隔離槽中に位置し、しかも該側面により該コイルラックに隣接し、
該各コイルラック中の複数のコイルにそれぞれ電流が流れると、該コイル積載体は漏電インダクタンスを形成し、該側面の表面積を調整することで、該漏電インダクタンスの大きさを改変可能であることを特徴とする複合式コモンモードコイル。
【請求項２】
前記コイル積載体はさらに２個の積載板体と２個の柱体を含み、
該柱体の両端はそれぞれ該積載板体と相互に連接することを特徴とする請求項１記載の複合式コモンモードコイル。
【請求項３】
前記底台は少なくとも１個の固定槽を備え、該固定槽には該積載板体を設置することを特徴とする請求項２記載の複合式コモンモードコイル。
【請求項４】
前記コイルラックはさらに２個の半コイルラックを備え、該２個の半コイルラックは相互に連接し設置空間を形成し、該設置空間には該柱体を設置することを特徴とする請求項２記載の複合式コモンモードコイル。
【請求項５】
前記側面の表面積は長さと高さの掛け算により定義し、該高さの方向は該隔離槽の延伸方向とほぼ垂直であることを特徴とする請求項１記載の複合式コモンモードコイル。
【請求項６】
前記長さのサイズは該隔離槽のサイズより小さいことを特徴とする請求項５記載の複合式コモンモードコイル。
【請求項７】
前記鉄芯体は導磁率が高い材質により製造することを特徴とする請求項１記載の複合式コモンモードコイル。
【考案の詳細な説明】
【技術分野】
【０００１】
本考案は複合式コモンモードコイルに関する。特に２個のコイル間に鉄芯を設置し、しかも鉄芯側面の表面積は調整可能である複合式コモンモードコイルに係る。
【背景技術】
【０００２】
近年ハイテク技術の発展は目覚しく、特にマイクロエレクトロニクス関連技術の製造プロセス領域では日進月歩の発展が続いている。電子関連製品は各家庭及び各業界に深く浸透しているため、現代生活においてなくてはならないものになっている。しかし、人類の要求には限度がないため、電子装置はより多くの機能性が要求され、機能は多元化に向って行る。各種電子設備、ビデオインターネット、交換機、携帯式通信設備、オフィスの自動化の普及に従い、電子システム中の電磁環境はどんどん複雑になっており、電磁干渉（ＥＭＩ）現象も日増しに深刻になり、しかもシステムの正常な作業に影響を及ぼす明確な障害となっている。
【考案の開示】
【考案が解決しようとする課題】
【０００３】
一般的な交換式電源において、主なＥＭＩ干渉源の多くはパワー半導体部品の切り替え動作である。ＥＭＩ干渉源の多くはコモンモードノイズと差動モードノイズを備えるため、発生する電磁発射（ＥＭＥ、Ｅｌｅｃｔｒｏｍａｇｎｅｔｉｃ  Ｅｍｉｓｓｉｏｎ）は通常はブロードバンドのノイズで、その周波数範囲は交換作業周波数から数ＭＨｚまでである。公知の変圧器はコモンモードノイズと差動モードノイズを克服する為にコモンモードチョック及び差動モードチョックを設計けるのである。しかしながり、公知の変圧器２は体積が大きく、製造が容易でないため、製造コストを増大させている。これは当業界が解決を迫られている目下の急務である。
【０００４】
本考案が解決しようとする第一の課題は、２個のコイル間に鉄芯を設置し、しかも鉄芯側面の表面積は調整可能で、こうしてコモンモードコイルは漏電インダクタンスの大きさを改変することができ、
本考案が解決しようとする第二の課題は、差動モード方式設計をコモンモード方式設計に代えることで、体積と製造コストを減少させることができるコモンモードコイルを提供することである。
【０００５】
上記課題を解決するため、本考案は下記の複合式コモンモードコイルを提供し、
複合式コモンモードコイルは底台、コイル積載体、鉄芯体を含み、
該底台は２個の設置槽及び隔離槽を備え、該隔離槽は該２個の設置槽間に位置し、
該コイル積載体は２個のコイルラックを含み、該コイルラックの外縁は複数のコイルが巻き付き、しかも該２個のコイルラックは該設置槽中に一つ一つ対応設置され、
該鉄芯体は相互に対応する２個の側面を備え、該鉄芯体は該隔離槽中に位置し、しかも該側面により該コイルラックに隣接し、
該各コイルラック中の複数のコイルにそれぞれ電流が流れると、該コイル積載体は漏電インダクタンスを形成し、該側面の表面積を調整することで、該漏電インダクタンスの大きさを改変可能である。
【課題を解決するための手段】
【０００６】
請求項１の考案は、複合式コモンモードコイルは底台、コイル積載体、鉄芯体を含み、該底台は２個の設置槽及び隔離槽を備え、該隔離槽は該２個の設置槽間に位置し、
該コイル積載体は２個のコイルラックを含み、該コイルラックの外縁は複数のコイルが巻き付き、しかも該２個のコイルラックは該設置槽中に一つ一つ対応設置され、
該鉄芯体は相互に対応する２個の側面を備え、該鉄芯体は該隔離槽中に位置し、しかも該側面により該コイルラックに隣接し、
該各コイルラック中の複数のコイルにそれぞれ電流が流れると、該コイル積載体は漏電インダクタンスを形成し、該側面の表面積を調整することで、該漏電インダクタンスの大きさを改変可能であることを特徴とする複合式コモンモードコイルとしている。
請求項２の考案は、前記コイル積載体はさらに２個の積載板体と２個の柱体を含み、
該柱体の両端はそれぞれ該積載板体と相互に連接することを特徴とする請求項１記載の複合式コモンモードコイルとしている。
請求項３の考案は、前記底台は少なくとも１個の固定槽を備え、該固定槽には該積載板体を設置することを特徴とする請求項２記載の複合式コモンモードコイルとしている。
請求項４の考案は、前記コイルラックはさらに２個の半コイルラックを備え、該２個の半コイルラックは相互に連接し設置空間を形成し、該設置空間には該柱体を設置することを特徴とする請求項２記載の複合式コモンモードコイルとしている。
請求項５の考案は、前記側面の表面積は長さと高さの掛け算により定義し、該高さの方向は該隔離槽の延伸方向とほぼ垂直であることを特徴とする請求項１記載の複合式コモンモードコイルとしている。
請求項６の考案は、前記長さのサイズは該隔離槽のサイズより小さいことを特徴とする請求項５記載の複合式コモンモードコイルとしている。
請求項７の考案は、前記鉄芯体は導磁率が高い材質により製造することを特徴とする請求項１記載の複合式コモンモードコイルとしている。
【考案の効果】
【０００７】
本考案の複合式コモンモードコイルは、２個のコイル間に鉄芯を設置し、しかも鉄芯側面の表面積は調整可能で、こうしてコモンモードコイルは漏電インダクタンスの大きさを改変することができ、
差動モード方式設計をコモンモード方式設計に代えることで、体積と製造コストを減少させることができるコモンモードコイルを提供することである。
【考案を実施するための最良の形態】
【０００８】
図１、図２を参照されたい。本考案の複合式コモンモードコイル１は底台１１、コイル積載体１２、鉄芯体１３を含む。該底台１１は２個の設置槽１１１、少なくとも１個の固定槽１１２、少なくとも１個の隔離槽１１３を備える。該隔離槽１１３は該２個の設置槽１１１間に位置し、該設置槽１１１はおよそ円柱形状を呈し、しかも該固定槽１１２は該設置槽１１１の軸方向にほぼ垂直である。
【０００９】
該コイル積載体１２は２個の積載板体１２１、２個の柱体１２２、２個のコイルラック１２３を含む。該積載板体１２１はおよそ矩形立体構造を呈し、該積載板体１２１の形状は該固定槽１１２の形状と相互に対応し、しかも該固定槽１１２は該積載板体１２１を設置する。該柱体１２２はおよそ円柱形状を呈し、しかも該柱体１２２の両端はそれぞれ該積載板体１２１と相互に連接する。本考案のコイルラック１２３は半コイルラック１２３１、１２３２が対応接続し形成し、しかも該２個の半コイルラック１２３１、１２３２は相互に連接し設置空間１２３３を形成する。該設置空間１２３３の形状はおよそ該柱体１２２の形状と相互に対応する円柱形状である。よって、該コイルラック１２３は該２個の半コイルラック１２３１、１２３２により対応接続し形成後、該コイルラック１２３の外縁は複数のコイル１２３４が巻き付き、しかも該２個のコイルラック１２３は該設置槽１１１中に一つ一つ対応設置される。
【００１０】
該鉄芯体１３は矩形の立体構造で、しかも該鉄芯体１３は導磁率が高い材質により製造する。本考案の鉄芯体１３は相互に対応する２個の側面１３１を備え、該側面１３１の表面積は長さ１３１１と高さ１３１２を掛けて定義する。該高さ１３１２の方向は該隔離槽１１３の延伸方向とほぼ垂直である。本考案の最適実施例において、該鉄芯体１３は該隔離槽１１３中に位置し、しかも該側面１３１により該コイルラック１２３に隣接する。
【００１１】
該コイルラック１２３中の複数のコイル１２３４にそれぞれ電流が流れると、該２個のコイルラック１２３間には漏電インダクタンスを形成する。よって該側面１３１の表面積を調整することで、該漏電インダクタンスの大きさを改変可能である。すなわち、該長さ１３１１のサイズが該隔離槽１１３のサイズより小さければ該鉄芯体１３と該積載板体１２１は間隙を形成し、さらに該高さ１３１２のサイズを対応させ、その漏電インダクタンスを調整することができる。本考案の複合式コモンモードコイル１は該側面の表面積を調整するだけで、該漏電インダクタンスの大きさを改変可能で、体積と製造コストの減少を達成することができる。
【００１２】
上記のように、本考案の複合式コモンモードコイルは公知技術の欠点を確実に克服可能で、産業界のニーズに応えることができ、産業競争力を高めることができる。
【図面の簡単な説明】
【００１３】
【図１】本考案複合式コモンモードコイルの最適実施例の立体構造分解概略図である。
【図２】本考案複合式コモンモードコイルの最適実施例の立体構造組合せ概略図である。
【符号の説明】
【００１４】
１  複合式コモンモードコイル
１１  底台
１１１  設置槽
１１２  固定槽
１１３  隔離槽
１２  コイル積載体
１２１  積載板体
１２２  柱体
１２３  コイルラック
１２３１  半コイルラック
１２３２  半コイルラック
１２３３  設置空間
１２３４  コイル
１３  鉄芯体
１３１  側面
１３１１  長さ
１３１２  高さ
【図１】
0003140813.tif 000003
【図２】
0003140813.tif 000004